(57)【要約】【課題】  接触式の球検出手段を備えることにより、特に上下方向高さを低く抑えて小型化を図ることのできる遊技機用役物と、そのような役物を備えた遊技機を提供する。【解決手段】  遊技盤１０１の後方から前方側に向って流下樋１１を流下する遊技球Ｂは、導入口１６ａを通って遊技盤１０１前方の球落下通路１２に至る。遊技球Ｂは、上下方向の球落下通路１２を落下する際に膨出部１２ａで反射案内され、検出アーム３１の先端部３１ａに接触して、感知部３２から球検知信号を出力させた後、球受位置Ｃにて待機（停留）中の回転体２０の切欠２１に収容される。【選択図】  図４
2005034434.tif 000002
【特許請求の範囲】
【請求項１】
遊技盤の盤面に交差する軸線の周りに回転可能に取り付けられ、周方向頂部領域に設けられた球受位置で停留して１個の遊技球を収容可能な球受部を有する回転体と、
その回転体の球受部に遊技球が収容されたことを検知するために、該球受部に遊技球が収容される直前に遊技球と接触して検知し、収容された後には遊技球と接触しないように、前記球受位置に配置された接触式の球検出手段と、
その球検出手段による球検知に基づいて前記回転体が前記球受位置から周方向下方領域に設けられた球解放位置を経てもとの球受位置に回転復帰する間、後続球を前記球検出手段に接触させることなく所定の排出位置に導出する後続球排出部と、
を備えることを特徴とする遊技機用役物。
【請求項２】
前記球検出手段は、前記球受位置に至る上下方向の球落下通路内に先端部が突入し、前記回転体の軸線方向に沿って後端部が延びる接触式の検出アームを有している請求項１に記載の遊技機用役物。
【請求項３】
前記検出アームの先端部は、前記球受位置にて前記球受部に収容された遊技球の上縁よりも下方においてその遊技球と接触しない位置に配置されている請求項２に記載の遊技機用役物。
【請求項４】
前記検出アームの先端部は、軸線方向から見て前記回転体の回転軌跡内に配置されている請求項２又は３に記載の遊技機用役物。
【請求項５】
請求項１ないし４のいずれか１項に記載の遊技機用役物を備えたことを特徴とする遊技機。
【発明の詳細な説明】
【技術分野】
【０００１】
本発明は、遊技機用役物及び遊技機に関する。
【背景技術】
【０００２】
従来から、遊技盤に直交する軸線の周りに回転する円盤状（又は円柱状）の回転体の外周面に形成された保持部（球受部）に遊技球を収容（保持）し、回転体の回転とともに遊技球を移動させる遊技機用役物が知られている。その一類型として、特許文献１〜３に示すような第３種パチンコ機において、表示装置における当否抽選結果（当たり又は外れ）等の表示に基づき、球受部で遊技球を保持・停留する回転体を回転させ、遊技球を複数領域に振り分けて搬送する振分装置が用いられている。このような振分装置では、遊技球が回転体の球受部に収容されたことを正確に検知し、振り分け制御をタイミングよく行なうために、球受部の停留位置上方に近接スイッチ、光電スイッチ等の非接触式検出センサを備えているのが一般的である。
【０００３】
【特許文献１】特許第２９５２７００号公報
【特許文献２】特許第３００５２７４号公報
【特許文献３】特許第２９８０２１０号公報
【０００４】
しかし、これらの技術では、球受部に収容後の遊技球を誤検出しないように、球受位置にて球受部に収容された遊技球の上縁よりも上方位置に非接触式検出センサを配置する必要がある。その結果、振分装置の上下方向高さが大きくなって小型コンパクト化を阻害する要因となっている。さらに、遊技球が球受部に収容され停留しているとき、又は回転体が回転しているときに、後続球が導入されると、検出センサが誤検出したり、後続球の詰まり等が発生したりするおそれがある。そこで、回転体の停留時及び回転時に後続球がセンサ検知領域内に入ることを阻止するために、特許文献２に示す係止突片４２ａ，４２ｂや特許文献３に示す阻止部材１１５１を設ける場合には、これらの部材とその駆動部材とを配置するスペースを要するため、ますます小型化を阻害することになる。
【発明の開示】
【発明が解決しようとする課題】
【０００５】
本発明の課題は、接触式の球検出手段を備えることにより、特に上下方向高さを低く抑えて小型化を図ることのできる遊技機用役物と、そのような役物を備えた遊技機を提供することにある。
【課題を解決するための手段及び発明の効果】
【０００６】
上記課題を解決するために、本発明の遊技機用役物は、
遊技盤の盤面に交差する軸線の周りに回転可能に取り付けられ、周方向頂部領域に設けられた球受位置で停留して１個の遊技球を収容可能な球受部を有する回転体と、
その回転体の球受部に遊技球が収容されたことを検知するために、該球受部に遊技球が収容される直前に遊技球と接触して検知し、収容された後には遊技球と接触しないように、前記球受位置に配置された接触式の球検出手段と、
その球検出手段による球検知に基づいて前記回転体が前記球受位置から周方向下方領域に設けられた球解放位置を経てもとの球受位置に回転復帰する間、後続球を前記球検出手段に接触させることなく所定の排出位置に導出する後続球排出部と、
を備えることを特徴とする。
【０００７】
この遊技機用役物によれば、収容直前に接触検知し、収容後には非接触とすることで、接触式の球検出手段を球受位置に配置して、球受部に遊技球が収容されたことを正確に検知できる。そして、球受部に収容された遊技球は、回転体によって頂部の球受位置から下方の球解放位置に搬送（移動）し導出される間に、球検出手段と接触して誤検出されるおそれがない。一方、遊技球が球受部に収容され停留しているとき又は回転体が回転しているときに導入された後続球は、球検出手段と接触して誤検出されたり、詰まり等を発生したりすることなく、排出位置に導出される。このようにして、球検出手段が球受位置に配置可能となったことにより、遊技機用役物の上下方向高さを低く抑え、小型化を図ることができる。なお、回転体の回転方向は時計方向・反時計方向のいずれか一方向でも双方向でもよい。球解放位置及び排出位置は、回転体の周方向においてそれぞれ１又は複数ヶ所設けることができる。
【０００８】
ところで、後続球排出部は、遊技盤の遊技者側において、球受位置に至る上下方向の球落下通路の途中から回転体の周方向に沿って分岐した後、所定の排出位置に導出される排出通路として形成される場合がある。後続球はこのように形成された排出通路からスムーズに導出される。
【０００９】
さらに、遊技者側に向って遊技球を流下して球落下通路に導入するための流下樋（通路）が、回転体の軸線方向に沿って配置されるとともに、排出通路が位置する側の流下樋（通路）の先端底部には、遊技者側に向かうほど高さが低くなる側壁が形成される場合がある。流下樋を通り後方側（遊技者とは反対側）から前方側（遊技者側）に流下して球落下通路に導入される後続球は、遊技者側ほど高さが低く形成された側壁から排出通路へ無理なく導出される。
【００１０】
このような遊技機用役物において、球検出手段は、球受位置に至る上下方向の球落下通路内に先端部が突入し、回転体の軸線方向に沿って後端部が延びる接触式の検出アームを有していることが望ましい。検出アームによる機械的な球検出により、狭い球落下通路内のスペースにおいても、球受部への収容直前に検出アームが遊技球を接触検知し、収容後には非接触とすることができ、球受部への遊技球の収容を正確にかつシンプルに検出できる。なお、球受部に収容された遊技球と、その上に乗り上げた後続球と、上下方向の球落下通路によって、遊技球と後続球との接点を頂点とし球落下通路の内壁に向って末広がりとなる（すなわち、回転体の軸線に直交する断面積が次第に増加する）山型状空間が形成され、検出アームの先端部はその山型状空間内に配置されることになる。
【００１１】
その際、検出アームの先端部は、球受位置にて球受部に収容された遊技球の上縁よりも下方において遊技球と接触しない位置に配置されていることが望ましい。球受部に収容された遊技球に後続球が接した（乗り上げた）とき、後続球は検出アームの先端部に接触することなく排出位置に導出されるので、誤検出されることがない。
【００１２】
さらに、検出アームの先端部は、軸線方向から見て回転体の回転軌跡内に配置されていることが望ましい。回転体の球受部以外の外面（外周縁）に後続球が接した（乗り上げた）とき、検出アームの先端部は後続球よりも下方に位置するので、後続球は検出アームの先端部に接触することなく排出位置に導出され、誤検出されることがない。
【００１３】
なお、球落下通路の検出アーム突入側とは反対側の内壁には、検出アームよりも上方に位置して、球落下通路に導入された遊技球を検出アームの先端部に接触させるために、検出アーム突入側の壁面に案内する案内体が設けられる場合がある。球落下通路を落下する遊技球は、案内体で反射されて検出アームの先端部に接触することになり、検出アームで確実に検知される。
【００１４】
ところで、検出アームは、先端部が球落下通路内に臨んで遊技球の重力を受ける力点を構成し、後端部が回転体の軸線に沿って遊技盤を貫通し盤面と反対方向に延びて球検知信号の発生に関与する作用点を構成し、さらにその中間部が回転体の後方を覆う本体部に支持されて支点を構成する梃子に形成される場合がある。検出アームが遊技盤を貫通する形で長く延びた梃子に形成され、中間部を支点としているので、遊技球との接触による先端部の昇降量と球検知信号を発生する後端部の昇降量とをバランスさせ感度を調整することができる。
【００１５】
検出アームの後端部には、支点を中心として後端部を下方に回動付勢することにより球検知信号の誤発生を防止する付勢手段が設けられる場合がある。遊技中に遊技機に加えられた振動等によって、検出アームが球検知信号を誤発生することが防止され、検出アームに対する不正防止にも有効となる。なお、付勢手段として、弾発力により後端部を下方に回動付勢するばね等の弾発部材、重力（自重）により後端部を下方に回動付勢する錘等の構成部材などを用いることができる。
【００１６】
また、検出アームには、本体部に接触して支点を中心とする回動運動の回動範囲（上限及び下限）を規制し、回動角を決定するための突出部が一体形成される場合がある。検出アーム後端部での球検知信号を誤って発生することが防止され、安定した球検知が可能となる。
【００１７】
そして、上記課題を解決するために本発明の遊技機は、以上で述べたような遊技機用役物を備えたことを特徴とする。このような遊技機用役物をパチンコ機に採用する場合、小型コンパクトな役物として盤面上に広い場所を取らずに増設したりできるので、新たな興趣を喚起（付加）することができる。その際、遊技機用役物は、例えば第３種パチンコ機における振分装置として搭載することができる。また、このように役物が小型化されることにより、規格化された遊技盤の遊技領域において、センター役物等の主要役物の占有スペースを広く確保することができるようになる。
【発明を実施するための最良の形態】
【００１８】
本発明の実施の形態を図面に示す実施例を参照しつつ説明する。なお、本実施例で前方側とは遊技者に向かう側を意味し、後方側とはその反対側を意味する。
図１〜図３は、本発明の遊技機用役物としての振分装置の一例を示し、図１は正面図及び背面図、図２は異なる二方向から見た斜視図、図３はその分解斜視図を示す。図３に示すように、振分装置１は、この振分装置１の基本骨格を構成する透明硬質合成樹脂製の本体部１０と、遊技球の振分手段及び排出手段としての回転体２０と、回転体２０の切欠２１（球受部）に遊技球が収容されたことを検知する検出部３０（接触式センサ；球検出手段）とを備えている。また、振分装置１は、回転体２０の切欠２１から解放された遊技球を検出する振分検出部４０（非接触式センサ；振分検出手段）と、軸線Ｏを有するモータ軸５１に回転体２０を固定して正逆回転する電動モータ５０（駆動アクチュエータ）とを備えている。なお、モータ軸５１の軸線Ｏは、振分装置１が取り付けられる遊技盤１０１上において、その盤面１０２に交差（例えば直交）している（図４参照）。
【００１９】
図３において、本体部１０は、前方側（回転体２０の遊技者に対向する端面側）に配置される前方フレーム１０Ｆ（本体部）と、後方側に配置される後方フレーム１０Ｒ（本体部）とが、回転体２０を挟むように外側から覆う形で対向配置され、ビス等の締結部材１９で互いに固定されている。遊技者側（前方側）に向って遊技球を流下して球落下通路１２（図４参照）に導入するための流下樋１１（流下通路）が回転体２０の軸線Ｏ方向に沿って配置され、流下樋１１の先端部は本体部１０（後方フレーム１０Ｒの台板１６）に形成された導入口１６ａ（図６参照）を介して球落下通路１２の上端部に連接されている。なお、検出部３０のセンサ基板３３がビス等の締結部材３９で本体部１０（後方フレーム１０Ｒ）に固定され、電動モータ５０のフランジ部がビス等の締結部材５９で本体部１０（後方フレーム１０Ｒ）に固定されている。
【００２０】
回転体２０は合成樹脂製で円盤状又は円柱状に形成され、上記した通り、遊技球の振分手段及び排出手段として機能し、外周面から半径方向中心側に切れ込んで遊技球を収容する切欠２１（球受部）と、モータ軸５１に小ねじ等の締結部材２９で固定される軸筒部２２とを有している。図６に示すように、切欠２１は、回転体２０の周方向頂部領域に設けられた球受位置Ｃで停留して上下方向の球落下通路１２を落下する１個の遊技球Ｂを受け止め収容する。
【００２１】
その後、図８及び図９に示すように、遊技球Ｂは、時計方向又は反時計方向に回転する回転体２０により、周方向下方領域に設けられた球解放位置Ｒ1，Ｒ2のいずれかに振り分けられて解放落下される。さらに、遊技球Ｂは、検知センサ４１，４２で検知された後、回収樋１５，１５（図３参照）で回収される。このとき、球解放位置Ｒ1には当たり検知センサ４１（例えば近接スイッチ）が配置され、遊技球Ｂを検知すると特別遊技状態（大当たり状態）を発生する。一方、球解放位置Ｒ2には外れ検知センサ４２（例えば近接スイッチ）が配置され、遊技球Ｂを検知しても特別遊技状態（大当たり状態）を発生しない。
【００２２】
なお、球解放位置Ｒ1，Ｒ2にて遊技球Ｂを解放落下した回転体２０は、同方向又は逆方向に回転して元の球受位置Ｃに復帰する。これら球受位置Ｃ及び球解放位置Ｒ1，Ｒ2において回転体２０を確実に停止させるため、電動モータ５０に回転角度センサ内蔵型のステッピングモータを用いている。回転角度センサにはホール素子センサ、ロータリエンコーダ等が使用され、モータ枠を兼用する回転角度センサケース５２に収納されている（図３参照）。また、回転体２０の回転中に後続球ＢNが導入されたときには、後続球ＢNは回転体２０の外周面に沿って後続球排出部１３を介し排出樋１４へ排出される。
【００２３】
検出部３０は、図４に示すように、回転体２０の切欠２１に遊技球Ｂが収容される直前に遊技球Ｂと接触して球検知し、収容された後には遊技球Ｂと接触しないように球受位置Ｃに臨んで配置される。具体的には、検出部３０は、球受位置Ｃに至る上下方向の球落下通路１２内に先端部３１ａが突入し、回転体２０の軸線Ｏ方向に沿って後端部３１ｂが延びる接触式の検出アーム３１と、検出アーム３１の後端部３１ｂの作動を非接触式センサ（例えばフォトセンサ）により感知して遊技球検知信号を発する感知部３２と、感知部３２が取り付けられたセンサ基板３３とを有している。したがって、図５で示されるように、回転体２０の切欠２１に収容された遊技球Ｂと、その上に乗り上げた後続球ＢNと、上下方向の球落下通路１２によって、遊技球Ｂと後続球ＢNとの接点Ｐを頂点とし球落下通路１２の内壁に向って末広がりとなる（すなわち、回転体２０の軸線Ｏに直交する断面積が次第に増加する）山型状空間Ｓが形成され、検出アーム３１の先端部３１ａはその山型状空間Ｓ内に配置されることになる。
【００２４】
また、図５において、検出アーム３１の先端部３１ａは、球受位置Ｃにて回転体２０の切欠２１に収容された遊技球Ｂの上縁よりも下方において遊技球Ｂと接触しない位置に配置されている。したがって、切欠２１に収容された遊技球Ｂに後続球ＢNが乗り上げた（接した）とき、後続球ＢNは検出アーム３１の先端部３１ａに接触しない。
【００２５】
さらに、図８（ａ）及び図９（ａ）に示すように、検出アーム３１の先端部３１ａは、軸線方向から見て回転体２０の回転軌跡内に配置されている。図７を参照すると、回転体２０の切欠２１以外の外面（外周縁）に後続球ＢNが接した（乗り上げた）とき、検出アーム３１の先端部３１ａは後続球ＢNよりも下方に位置するので、後続球ＢNは検出アーム３１の先端部３１ａに接触しない。
【００２６】
図４に戻り、検出アーム３１は、遊技盤１０１を貫通する形で後方側に長く延びた梃子に形成されている。具体的には、先端部３１ａが球落下通路１２内に臨んで遊技球Ｂの重力を受ける力点を構成し、後端部３１ｂが回転体２０の軸線Ｏに沿って遊技盤１０１を貫通し盤面１０２と反対方向に延びて球検知信号の発生に関与する作用点を構成し、さらにその中間部３１ｃが回転体２０の後方を覆う本体部１０（流下樋１１）に支持されて支点を構成している。前後に長く延びた梃子の中間部３１ｃを支点としているので、遊技球Ｂとの接触による先端部３１ａの昇降量と球検知信号を発生する後端部３１ｂの昇降量とがバランスしている。なお、支点（中間部３１ｃ）を本体部１０（流下樋１１）とモータ枠５２とで挟み込んで支持しているので、両端部３１ａ，３１ｂの動きが安定し、感知部３２での検出誤差を小さくできる。
【００２７】
検出アーム３１の後端部３１ａには、支点（中間部３１ｃ）を中心として後端部３１ａを常時下方に回動付勢するモーメントが作用しているので、球検知信号の誤発生が防止される。支点を中心とするモーメントの腕の長さや断面積等の変更によって調整を行ない、場合によっては錘、ばね等を付加することができる。
【００２８】
また、検出アーム３１の上面には、本体部１０（流下樋１１）に接触して支点（中間部３１ｃ）を中心とする回動運動の回動範囲のうち上限を規制するための突出部３１ｄが一体形成されている。一方、検出アーム３１の下面には、モータ枠５２に接触して支点（中間部３１ｃ）を中心とする回動運動の回動範囲のうち下限を規制するための突出部３１ｅが一体形成されている。両突出部３１ｄ，３１ｅにより検出アーム３１の回動角が決定（規制）されるため、球検知信号の出力が安定し、検出アーム３１の破損が防止される。
【００２９】
図４において、球落下通路１２の検出アーム３１（の先端部３１ａ）突入側とは反対側（遊技者側；前方側）の内壁には、検出アーム３１（の先端部３１ａ）よりも上方に位置して膨出部１２ａ（案内体）が一体形成されている。流下樋１１から球落下通路１２に導入された遊技球Ｂは、この膨出部１２ａに接当（衝突）したときの跳ね返り（反射）によって検出アーム３１突入側の壁面に案内され、検出アーム３１の先端部３１ａに接触する。これによって、検出アーム３１は中間部３１ｃを支点とし、先端部３１ａが下降、後端部３１ｂが上昇し（図４の破線状態）、感知部３２から球検知信号が送出される。ただし、検出アーム３１の先端部３１ａと遊技球Ｂとの接触は一瞬で終了し、回転体２０の切欠２１に遊技球Ｂが収容されると両者は接触しなくなり、検出アーム３１は非検知となる（図４の実線状態）。
【００３０】
図６において、後続球排出部１３は、流下樋１１の前端部から球受位置Ｃに至る上下方向の球落下通路１２の途中から回転体２０の周方向（時計回り）に沿って分岐した後、所定の排出位置Ｅに導出される排出通路として形成されている。したがって、後続球ＢNは排出通路１３から本体部１０（後方フレーム１０Ｒの台板１６）に形成された排出口１６ｂを介して排出樋１４へスムーズに導出される。このとき、回転体２０が球受位置Ｃから球解放位置Ｒ1，Ｒ2を経てもとの球受位置Ｃに回転復帰する間には、既に述べたように、後続球ＢNは検出アーム３１の先端部３１ａに接触しない（図５、図７参照）ので、誤検出のおそれがない。
【００３１】
図４において、流下樋１１の底部を構成するレール状の左右側壁１１Ｌ，１１Ｒ（図３参照）のうち、排出通路１３（後続球排出部）及び排出樋１４が位置する側、すなわち遊技者から見て右側の側壁１１Ｒの先端部には、前方側（遊技者側）に向かうほど高さが低くなる側壁１１Ｒａが形成されている。具体的には、右側の側壁１１Ｒの先端部１１Ｒａには勾配（傾斜）が設けられ、流下樋１１を通り後方側（遊技者とは反対側）から前方側（遊技者側）に流下して球落下通路１２に導入される後続球ＢNは、前方ほど高さが低く形成された右側の側壁の先端部１１Ｒａから排出通路１３へ無理なく導出される。なお、側壁１１Ｒａは直線的に低く形成する（勾配）他、非直線的に低く形成する（アール形状等）こともできる。
【００３２】
いずれにしても、排出通路１３及び排出樋１４を設定しない側（設けない側）、すなわち左側の側壁１１Ｌの先端部１１Ｌａは面一に形成されている（図４詳細図）。また、前方フレーム１０Ｆの左側にも導入口１６ａに対応する位置に、閉鎖板１２ｂが膨出部１２ａと直交状に一体形成されている（図３、図６）。左側の側壁先端部１１Ｌａと閉鎖板１２ｂとによって、後続球ＢNは左側の側壁からは導出されない。
【００３３】
次に、以上のように構成された振分装置１の作動について、図４〜図９により説明する。
（１）図４に示すように、遊技盤１０１の後方から前方側に向って流下樋１１を流下する遊技球Ｂは、導入口１６ａ（図６参照）を通って遊技盤１０１前方の球落下通路１２に至る。遊技球Ｂは、上下方向の球落下通路１２を落下する際に膨出部１２ａで反射案内され、検出アーム３１の先端部３１ａに接触して（図４の破線状態）、感知部３２から球検知信号を出力させた後、球受位置Ｃにて待機（停留）中の回転体２０の切欠２１に収容される。
【００３４】
（２）このとき、図５及び図６に示す後続球ＢNが流下樋１１を流下して球落下通路１２に到達すると、後続球ＢNは切欠２１に収容された遊技球Ｂに接点Ｐで接する（乗り上げる）。ただし、検出アーム３１の先端部３１ａは遊技球Ｂの上縁よりも下方の山型状空間Ｓ内に位置する（図５）ので、後続球ＢNは検出アーム３１の先端部３１ａと接触しない。そして、後続球ＢNは、前方ほど高さが低く形成された右側の側壁の先端部１１Ｒａ（図４参照）と、左側の閉鎖板１２ｂ（図６（ａ））とによって、排出通路１３（後続球排出部）から排出口１６ｂ（図６）を介して排出樋１４（図６（ｂ））へスムーズに導出される。
【００３５】
（３）図７〜図９に示すように、遊技球Ｂが検出アーム３１の先端部３１ａに接触したことをきっかけとして、回転体２０は切欠２１に遊技球Ｂを収容した状態で、球受位置Ｃから球解放位置Ｒ1，Ｒ2のいずれかの位置に向けて回転する。図８・図９は、回転体２０が球解放位置Ｒ1に向けて反時計方向に回転する場合を表わす。切欠２１に収容された遊技球Ｂは球解放位置Ｒ1にて解放（落下）され、当たり検知センサ４１で検知されて特別遊技状態（大当たり状態）を発生し、回収樋１５で回収される。
【００３６】
（４）回転体２０が回転しているときに、図７〜図９に示す後続球ＢNが流下樋１１を流下して球落下通路１２に到達すると、後続球ＢNは回転体２０の外周面に接する（乗り上げる）。ただし、図８（ａ）及び図９（ａ）に表わされているように、検出アーム３１の先端部３１ａは回転体２０の回転軌跡内に位置し、かつ山型状空間Ｓ内に位置している（図５参照）ので、後続球ＢNは検出アーム３１の先端部３１ａと接触しない。そして、後続球ＢNは、右側の側壁の先端部１１Ｒａ（図４参照）と、左側の閉鎖板１２ｂ（図６（ａ）参照）とによって、上記（２）の場合と同様に排出樋１４（図８（ｂ）、図９（ｂ））へ導出される。
【００３７】
（５）球解放位置Ｒ1にて遊技球Ｂを解放落下した回転体２０は、反時計方向又は時計方向に回転して元の球受位置Ｃに復帰した後停止（停留）する。
【００３８】
さらに、図１０により、以上で述べた振分装置１を備えた第３種パチンコ機（以下、遊技機という）１００の構成及び遊技の一例について説明する。振分装置１は、遊技機１００の遊技盤１０１の中央下部において、その回転体２０（モータ軸５１）の軸線Ｏが盤面１０２に交差（例えば直交）するように取り付けられている（図４参照）。
【００３９】
遊技機１００での遊技中にスタートチャッカ１０３（始動口）に入賞すると、センター役物１０４に設けられた羽根等が開閉する。開閉の間にセンター役物１０４に入賞した遊技球がセンター役物１０４内部の回転体等で特定領域（当たり領域）に搬送されると、センター役物１０４下部に設けられたデジタル式表示装置等の抽選器１０５が作動（抽選）を開始する。センター役物１０４に入賞した遊技球Ｂは、図示しない案内樋等を介し、振分装置１の流下樋１１・球落下通路１２を通って検出アーム３１の先端部３１ａと接触した後、球受位置Ｃで停留中の回転体２０の切欠２１に収容される（図４参照）。
【００４０】
遊技球Ｂが検出アーム３１の先端部３１ａと接触した（球検知信号が出力された）ことに基づいて（起因として）、抽選器１０５が停止する。そして、抽選器１０５が表示する当否に応じて、振分装置１の回転体２０は切欠２１に遊技球Ｂを収容した状態で、球受位置Ｃから球解放位置Ｒ1，Ｒ2のいずれかの位置に向けて回転する。抽選器１０５の停止表示が大当たり図柄（例えば「８８」）であると、回転体２０は球解放位置Ｒ1へ向けて反時計方向に回転し（図４参照）、球解放位置Ｒ1にて解放落下された遊技球Ｂが当たり検知センサ４１で検知されると大当たり状態（特別遊技状態）がスタートする。このとき入賞口１０６への入賞があると、アタッカ１０７（大入賞口）が開放され、所定時間の経過又は所定球数の入賞を１ラウンドとして所定ラウンド数にわたり繰り返し可能な状態となる。
【００４１】
なお、センター役物１０４へは複数の遊技球が同時に入賞する場合があり、それらの遊技球が振分装置１に相次いで到来することも考えられる。そのような事態が発生した場合にも、振分装置１では既述の通り後続球ＢNが検出アーム３１の先端部３１ａと接触することなく、排出通路１３（後続球排出部）から排出樋１４へスムーズに導出される（図５〜図９参照）。
【００４２】
以上、本発明の実施の形態を説明したが、本発明はこれに限定されない。例えば、振分装置１は第３種パチンコ機１００以外の遊技機にも適用できる。その際、振分装置１以外の役物として用いてもよい。また、回転体２０の形状は円盤状又は円柱状に限らず、楕円形状等の曲線や六角形等の多角形を用いることができ、軸線方向に変形する立体形状を有していてもよい。切欠２１の形状についても同様である。さらに、実施例では、遊技球Ｂは、遊技盤１０１の後方から前方側に向って流下樋１１を流下した後、上下方向の球落下通路１２を落下して球受位置Ｃに至る（図４参照）こととしたが、遊技盤１０１の前面側において直接的に球落下通路１２の上方に投入され球受位置Ｃに至るようにしてもよい（この場合流下樋１１は遊技球Ｂの流下機能を要しなくなる）。なお、上記した第３種パチンコ機１００での遊技の流れは一例に過ぎず、これによって本発明の役物及び遊技機の用途等が制限されることはない。
【図面の簡単な説明】
【００４３】
【図１】本発明の遊技機用役物としての振分装置の一例を示す正面図及び背面図。
【図２】図１の振分装置を異なる二方向から見た斜視図。
【図３】図１の振分装置の分解斜視図。
【図４】振分装置の作動状態を示す図１（ｂ）のＡ−Ａ断面図。
【図５】振分装置の別の作動状態を示す図１（ｂ）のＡ−Ａ断面図。
【図６】図５の作動を説明する正面図及び斜視図。
【図７】振分装置のさらに別の作動状態を示す図１（ｂ）のＡ−Ａ断面図。
【図８】図７の作動を説明する正面図及び斜視図。
【図９】図８に続く作動を説明する正面図及び斜視図。
【図１０】図１の振分装置を備えた遊技機の一例を模式的に示す正面図。
【符号の説明】
【００４４】
１          振分装置（遊技機用役物）
１０        本体部
１１        流下樋
１２        球落下通路
１３        排出通路（後続球排出部）
２０        回転体
２１        切欠（球受部）
３０        検出部（接触式センサ；球検出手段）
３１        検出アーム
１００      第３種パチンコ機（遊技機）
１０１      遊技盤
１０２      盤面
Ｃ          球受位置
Ｒ１，Ｒ２  球解放位置
Ｅ          排出位置
【図１】
2005034434.tif 000003
【図２】
2005034434.tif 000004
【図３】
2005034434.tif 000005
【図４】
2005034434.tif 000006
【図５】
2005034434.tif 000007
【図６】
2005034434.tif 000008
【図７】
2005034434.tif 000009
【図８】
2005034434.tif 000010
【図９】
2005034434.tif 000011
【図１０】
2005034434.tif 000012